(57)【要約】【課題】シートパレットへの負荷が小さいコンテナを提供する。【解決手段】本発明のコンテナ１０は、コンテナ本体１０Ｈと、その上面開口１０Ｋを閉塞する蓋体５０とからなる。コンテナ本体１０Ｈの下部には、蓋体５０にて閉塞されていない他のコンテナ本体１０Ｈの上面開口１０Ｋ内に嵌合可能な下面突部３０が設けられ、その下面突部３０の下面である下端平面３０Ａと、蓋体５０の最上端に位置する上端平面５０Ａとが面当接するようになっている。【選択図】図１
2020045157.tif 000002
【特許請求の範囲】
【請求項１】
上面が開口した直方体状のコンテナ本体と、前記コンテナ本体の上面開口を閉塞する蓋体とからなるコンテナであって、
前記コンテナ本体の下部に設けられ、前記蓋体にて閉塞されていない他の前記コンテナ本体の前記上面開口内に嵌合可能な下面突部と、
前記コンテナ本体の最下端に位置しかつ水平な前記下面突部の下面である下端平面と、
前記蓋体の最上端に位置しかつ水平であると共に、前記コンテナ同士を段積したときに上段側のコンテナの前記下端平面と面当接する上端平面とを、備えるコンテナ。
【請求項２】
前記蓋体の下面四隅に補強リブ群が偏在している請求項１に記載のコンテナ。
【請求項３】
前記蓋体の下面四隅には、前記蓋体の隣合う二辺の外縁部の間を直線状に連絡する補強リブが複数平行に並べて備えられている請求項１又は２に記載のコンテナ。
【請求項４】
前記蓋体の下面外縁部から突出し、前記コンテナ本体の上部に嵌合する嵌合壁と、
前記蓋体の一部を下方に膨出させてなり、前記コンテナ本体の上部内側に受容される下方膨出部と、が備えられ、
前記嵌合壁の下面と前記下方膨出部の下面とが面一になっている請求項１乃至３の何れか１の請求項に記載のコンテナ。
【請求項５】
前記コンテナ本体の互いに対向する１対の第１側壁と残りの１対の第２側壁とがそれぞれ前記コンテナ本体の底壁の外縁部に回動可能に支持されると共に、前記底壁のうち前記第１側壁を支持する１対の外縁部は、上方に突出する１対の土手部になっていて、それら１対の土手部の間に前記１対の第２側壁、前記１対の第１側壁の順番で折り畳み可能に構成され、
前記１対の土手部の上部に前記嵌合壁が嵌合した状態で、前記下方膨出部の下面が折畳状態の前記第１側壁の上面に当接する請求項４に記載のコンテナ。
【発明の詳細な説明】
【技術分野】
【０００１】
本開示は、コンテナ本体と、その上面開口を閉塞する蓋体とからなるコンテナに関する。
【背景技術】
【０００２】
この種のコンテナは、パレット上に並べられて段積状態で搬送されることがあり、その際の横荷重に対向すべく、コンテナ本体の下面突部と、蓋体の上面凹部とが嵌合するようになっている（特許文献１参照）。また、段積み高さを抑えるために、最上段のコンテナ以外は蓋体が外されて、コンテナの下面突部がその下のコンテナの上面開口に嵌合されることもある。さらに、パレット上に段積みされたコンテナ群の蓋体の上に、別のパレットが載置され、さらにその上にコンテナ群が段積みされる場合もある。その場合の段積み高さを抑えるために、近年、シートパレットが使用されるようになってきている。なお、シートパレットは、一般には袋詰めされたセメントや米等のように変形容易な荷物の搬送に使用される（特許文献２参照）。
【先行技術文献】
【特許文献】
【０００３】
【特許文献１】特許第４３６３８８４号（図１０、図１２〜図１４）
【０００４】
【特許文献２】特開平１１−２５５２３７号（図７、図８）
【発明の概要】
【発明が解決しようとする課題】
【０００５】
しかしながら、従来のコンテナでは、シートパレットが、コンテナの下面突部によって蓋体の上面凹部に押し込まれて陥没するように変形し（以下、これを「陥没変形」という）、そのために蓋体上でスライドし難くなってシートパレット用フォークリフトに引っ張られて破損するという事態が生じ得た。このため、シートパレットへの負荷が小さいコンテナの開発が求められている。
【課題を解決するための手段】
【０００６】
上記課題を解決するためになされた請求項１の発明は、上面が開口した直方体状のコンテナ本体と、前記コンテナ本体の上面開口を閉塞する蓋体とからなるコンテナであって、前記コンテナ本体の下部に設けられ、前記蓋体にて閉塞されていない他の前記コンテナ本体の前記上面開口内に嵌合可能な下面突部と、前記コンテナ本体の最下端に位置しかつ水平な前記下面突部の下面である下端平面と、前記蓋体の最上端に位置しかつ水平であると共に、前記コンテナ同士を段積したときに上段側のコンテナの前記下端平面と面当接する上端平面とを、備えるコンテナである。
【０００７】
請求項２の発明は、前記蓋体の下面四隅に補強リブ群が偏在している請求項１に記載のコンテナである。
【０００８】
請求項３の発明は、前記蓋体の下面四隅には、前記蓋体の隣合う二辺の外縁部の間を直線状に連絡する補強リブが複数平行に並べて備えられている請求項１又は２に記載のコンテナである。
【０００９】
請求項４の発明は、前記蓋体の下面外縁部から突出し、前記コンテナ本体の上部に嵌合する嵌合壁と、前記蓋体の一部を下方に膨出させてなり、前記コンテナ本体の上部内側に受容される下方膨出部と、が備えられ、前記嵌合壁の下面と前記下方膨出部の下面とが面一になっている請求項１乃至３の何れか１の請求項に記載のコンテナである。
【００１０】
請求項５の発明は、前記コンテナ本体の互いに対向する１対の第１側壁と残りの１対の第２側壁とがそれぞれ前記コンテナ本体の底壁の外縁部に回動可能に支持されると共に、前記底壁のうち前記第１側壁を支持する１対の外縁部は、上方に突出する１対の土手部になっていて、それら１対の土手部の間に前記１対の第２側壁、前記１対の第１側壁の順番で折り畳み可能に構成され、前記１対の土手部の上部に前記嵌合壁が嵌合した状態で、前記下方膨出部の下面が折畳状態の前記第１側壁の上面に当接する請求項４に記載のコンテナである。
【発明の効果】
【００１１】
請求項１のコンテナでは、コンテナ本体の下端平面と、蓋体の上端平面とが面当接するので、シートパレットが、蓋体とその上方のコンテナとに挟まれて陥没変形することがなくなる。これにより、シートパレットへの負荷が抑えられる。
【００１２】
請求項２及び３のコンテナでは、蓋体のうち上方のコンテナ本体から最も負荷を受ける下面四隅に下面リブ群が偏在しているので、蓋体の上端平面の変形が抑えられる。これにより、蓋体とその上方のコンテナ本体とに挟まれたシートパレットの曲げ変形が抑えられ、シートパレットが蓋体上でスライドし易くなり、シートパレット用フォークリフトに引っ張られたときの負荷が抑えられる。
【００１３】
請求項４のコンテナでは、蓋体の嵌合壁の下面と、蓋体の一部を下方に膨出させてなる下方膨出部の下面とが面一になっているので、蓋体同士が重ねられて平坦な載置面の上に載置されたときに蓋体の変形が抑えられる。
【００１４】
請求項５の構成では、折畳状態のコンテナの上に蓋体を重ねたときに、蓋体の下方膨出部の下面が折畳状態の第１側壁の上面に当接して蓋体の変形が抑えられる。
【図面の簡単な説明】
【００１５】
【図１】コンテナの斜視図
【図２】折り畳まれる途中のコンテナ本体の斜視図
【図３】折畳状態のコンテナ本体の斜視図
【図４】折畳状態のコンテナ本体の一部破断斜視図
【図５】第２側壁の一部の斜視図
【図６】第２側壁の一部の正面図
【図７】コンテナ本体の下端部の一部の正面図
【図８】底壁のコーナー部の斜視図
【図９】コンテナ本体の底側のコーナー部の一部破断斜視図
【図１０】下面側から見たコンテナ本体の斜視図
【図１１】下面側から見たコンテナ本体の一部破断斜視図
【図１２】コンテナの上面側のコーナー部の斜視図
【図１３】コンテナ本体と中板のコーナー部の平面図
【図１４】蓋体の下面側の斜視図
【図１５】蓋体の下面側の一部拡大斜視図
【図１６】蓋体の下面側の一部拡大斜視図
【図１７】蓋体を段積した状態の断面図
【図１８】コンテナ本体に蓋体を装着した状態の一部破断斜視図
【図１９】コンテナ本体に蓋体を装着した状態の一部破断斜視図
【図２０】コンテナ本体に蓋体を装着した状態の一部破断斜視図
【図２１】蓋体を装着された折畳状態のコンテナ本体の斜視図
【図２２】蓋体を装着された折畳状態のコンテナ本体の一部破断斜視図
【発明を実施するための形態】
【００１６】
以下、図１〜図２２を参照してコンテナ１０の実施形態について説明する。図１に示すように、本実施形態のコンテナ１０は、上面が開放した直方体状のコンテナ本体１０Ｈと、その上面開口１０Ｋを閉塞する蓋体５０とからなる。コンテナ本体１０Ｈの底壁１３は、平面形状が長方形をなし、１対の長辺側の外縁部から上方に突出する１対の第１土手部１４（特許請求の範囲の「土手部」に相当する）と、１対の短辺側の外縁部から突出する１対の第２土手部１５とを有する。また、１対の第１土手部１４に１対の第１側壁１１がヒンジ連結されると共に、１対の第２土手部１５に１対の第２側壁１２がヒンジ連結されている。なお、コンテナ本体１０Ｈの平面形状である長方形は、長辺が短辺の略２倍の大きさをなし、２つのコンテナ本体１０Ｈを横並びに配置すると略正方形になる。
【００１７】
そして、コンテナ本体１０Ｈは、図２に示すように、１対の第２側壁１２を底壁１３上に重ねた状態に折り畳んでから、それらの上に一方の第１側壁１１を重ねるように折り畳み、さらにその第１側壁１１の上に他方の第１側壁１１を重ねるように折り畳んで図３に示した折畳状態になる。
【００１８】
第１土手部１４は、２枚の第１側壁１１と１枚の第２側壁１２とを重ねた厚さと略同一の高さをなし、第２土手部１５は、第２側壁１２の１枚の厚さと略同一の高さをなしている。これにより、上側の第１側壁１１の上面と、第１土手部１４の上面１４Ａとが略面一になる。
【００１９】
図８に示すように、第１土手部１４の上面１４Ａからは、係止突壁１６が突出している。係止突壁１６は、第１土手部１４の上面１４Ａの内縁部と第１土手部１４の長手方向の両端の縁部とに亘って形成されている。なお、係止突壁１６の内側面と第１土手部１４の内側面とは面一になっている。
【００２０】
図２に示すように第１側壁１１には、両側部を第２側壁１２側に直角曲げしてなるサイド連結壁１７が備えられている。サイド連結壁１７は、第１側壁１１の上端から下端寄り位置に亘って延びている。また、サイド連結壁１７は、図１に示すように、コンテナ本体１０Ｈが組立状態になると第２側壁１２の外面の側縁部に重なる。そして、第１側壁１１の長手方向（第１側壁１１の上下方向）の複数位置に形成された矩形の係合孔１７Ａと、第２側壁１２の外面の側縁部から突出する断面矩形の複数の係合突部１７Ｂ（図５参照）とが係合する。
【００２１】
図２に示すように、底壁１３のコーナー部には、第１土手部１４の長手方向の両端部を第２土手部１５側に直角曲げしてなる土手補強部１８が設けられている。図８に示すように、土手補強部１８は、第２土手部１５側を向きかつ鉛直に延びる起立面１８Ａと、その起立面１８Ａと係止突壁１６の上面との間を連絡する円弧面１８Ｂとを有する。また、図７に示すように、第２土手部１５のうち長手方向の両端部に位置しかつ第２側壁１２のヒンジアーム１２Ｍ（図６参照）と連結されるヒンジ連結部１５Ｈの外側面は、底壁１３の外側面と面一に配置され、土手補強部１８の外側面も底壁１３の外側面と面一に配置されている。さらに、そのヒンジ連結部１５Ｈの上面の外縁部と土手補強部１８の起立面１８Ａの外縁部との間は、三角リブ１８Ｌで連絡されている。
【００２２】
図６に示すように、第２側壁１２の側部の下端には、土手補強部１８を受容する凹部１２Ｃが設けられ、その凹部１２Ｃには、図７に示すように、土手補強部１８の起立面１８Ａと円弧面１８Ｂとに隙間を空けて重なる起立面１２Ａと円弧面１２Ｂとが備えられている。また、図６に示すように、第２側壁１２の内側面における凹部１２Ｃの縁部から隙間カバー部１９が凹部１２Ｃ側に張り出している。そして、図９に示すように、隙間カバー部１９が土手補強部１８に内側から重なり、起立面１２Ａ，１８Ａ同士及び円弧面１２Ｂ，１８Ｂ同士の隙間を塞ぐ。なお、隙間カバー部１９のうち土手補強部１８との対向面は、コンテナ本体１０Ｈの内側に向かって凹状に湾曲している。また、隙間カバー部１９のうちコンテナ本体１０Ｈの内側を向く面は、第２側壁１２の内側面から斜めに立ち上がり、全体が湾曲又は屈曲して荷物に引っ掛かり難くなっている。また、図７に示すように、第２側壁１２のうち三角リブ１８Ｌと対向する部分は第２側壁１２の全外の外側面より僅かに陥没したコーナー陥没部１２Ｄになっている。
【００２３】
図８に示すように、底壁１３には、第２側壁１２を折畳姿勢にしたときに隙間カバー部１９を受容するための第１受容凹部２０が設けられている。第１受容凹部２０の内側面２０Ａは、底壁１３の上面（コンテナ本体１０Ｈの底面）に対して緩やかに傾斜していて、荷物が引っ掛かりに難くなっていると共に、第１受容凹部２０に溜まったゴミを掻き出し易くなっている。
【００２４】
図１に示すように、第２側壁１２の外面上部には、第２側壁１２の横方向の中央部にロック操作部材２５が備えられ、そのロック操作部材２５から１対のロックバー２６が第２側壁１２の横方向に延びている。ロック操作部材２５は、ロック位置とロック解除位置との間で上下動し、ロック操作部材２５に備えた図示しない弾性変形部によってロック操作部材２５がロック位置に付勢されている。そして、ロック操作部材２５をロック位置からロック解除位置に移動すると、それに連動して１対のロックバー２６が互いに接近する方向に引き寄せられ、ロック操作部材２５がロック位置に戻ると、それに連動して１対のロックバー２６が互いに離れる方向に移動する。また、ロック位置の１対のロックバー２６の先端部は、第１側壁１１に第１側壁１１の側部に備えたロック孔２７Ａ（図２参照）に係合する。
【００２５】
図１０に示すように、コンテナ本体１０Ｈの下部には、他のコンテナ本体１０Ｈの上面開口１０Ｋ内に嵌合可能な下面突部３０が設けられている。下面突部３０は、底壁１３の下面のうち第１側壁１１及び第２側壁１２の真下に位置する帯状外縁領域の内側全体に格子状のリブを張り巡らしてなる。また、下面突部３０の下面は、特許請求の範囲の「下端平面３０Ａ」になっていて、略全体が水平になっている。さらに、下端平面３０Ａの長手方向の両端寄り位置には、下端平面３０Ａの短手方向に延びる１対のベルト受容溝３０Ｂが形成されている。
【００２６】
図１１に示すように、帯状外縁領域にも複数のリブ３１Ｌが形成されていて、それらリブ３１Ｌ群の下面によって帯状外縁領域に段積面３１が形成されている。そして、段積面３１の外縁部から下方に第１及び第２の下面外縁突壁３２，３３が突出している。図３に示すように、第２下面外縁突壁３３は、底壁１３の長短の各外縁部の両端寄りの２位置から垂下し、それら両端寄りの２位置からそれぞれ中央側にずれた２位置の間の全体から第１下面外縁突壁３２が垂下している。また、これら第１及び第２の下面外縁突壁３２，３３の下面は、下端平面３０Ａと面一になっている。
【００２７】
図１２に示すように、第１側壁１１の全体の上面と第２側壁１２の全体の上面とは、互いに面一になって、コンテナ本体１０Ｈ全体の上面２４を構成している。そして、上面２４の内縁部の略全体から上面内縁突壁２７が起立し、上面２４のコーナー部からはコーナー突部２９が突出している。また、上面２４のうち各コーナー突部２９を挟んだコーナー寄りの２位置からはコーナー寄り突部２８が突出している。
【００２８】
コーナー突部２９は上面内縁突壁２７と同じ高さをなし、コーナー寄り突部２８はコーナー突部２９及び上面内縁突壁２７より僅かに低くなっている。また、上面内縁突壁２７の高さ（即ち、上面２４からの上面内縁突壁２７の突出量）は、前述した段積面３１からの第１及び第２の下面外縁突壁３２，３３（図１１参照）の突出量と略同一になっている。さらに、図１２に示すように、コーナー寄り突部２８は、コーナー突部２９との対向する面が上面２４と直交する垂直面２８Ａをなし、その反対側が傾斜面２８Ｓになっている。
【００２９】
図１０に示すように、コンテナ本体１０Ｈの内側面には、上下方向と途中位置に複数の内側面突部２２が設けられ、それら内側面突部２２群に中板２３を載せてコンテナ本体１０Ｈ内を上下に２分割することができる。具体的には、内側面突部２２は、第１側壁１１の横方向の中央と、第２側壁１２の横方向の両端部とに配置され、第１側壁１１及び第２側壁１２の一部を内側に角錐状に膨出させてなる。また、複数の内側面突部２２の上面２２Ａは、面一水平に配置されている。さらに、内側面突部２２の膨出量は、第２側壁１２の厚さと同一かそれより小さくなっている。
【００３０】
中板２３は、例えば、段ボールプラスチック（所謂、段プラ）を、コンテナ本体１０Ｈの内部に丁度嵌合する長方形に切断してなる。また、図１３に示すように、中板２３のコーナー部には、円弧状に面取りされた円弧面２３Ａが形成され、これにより、円弧面２３Ａとコンテナ本体１０Ｈの内側面との間に指を挿入可能な隙間が形成されて、コンテナ本体１０Ｈから中板２３を容易に抜き取ることができるようになっている。
【００３１】
また、図８に示すように、底壁１３には、折畳姿勢になった第２側壁１２に内側面突部２２を受容する第２受容凹部２１が形成されている。第２受容凹部２１の内側面２１Ａは、前述の第１受容凹部２０の内側面２０Ａと同様に、底壁１３の上面（コンテナ本体１０Ｈの底面）に対して緩やかに傾斜していている。なお、図４に示すように、折畳姿勢の第２側壁１２の上に折り畳まれた第１側壁１１の内側面突部２２は、１対の第２側壁１２，１２の間に収まって底壁１３と干渉はしない。また、その第１側壁１１の上に折り畳まれた第１側壁１１の内側面突部２２は、下の第１側壁１１と第１土手部１４との間に収まり、下の第１側壁１１や底壁１３と干渉はしない。
【００３２】
コンテナ本体１０Ｈの構造に関する説明は以上である。次ぎに、蓋体５０の構造について説明する。図１に示すように、蓋体５０全体の平面形状は、コンテナ本体１０Ｈ全体の平面形状と略同一の長方形をなしている。また、蓋体５０は、水平な平板状の主体壁５１が主体をなして、その上面が蓋体５０の最上部に位置する上端平面５０Ａになっている。
【００３３】
蓋体５０の下面外縁部には、コンテナ本体１０Ｈの下面外縁部の第１及び第２の下面外縁突壁３２，３３に対応する第１及び第２の外嵌合壁６４，６５（特許請求の範囲の「嵌合壁」に相当する）が設けられている。第２外嵌合壁６５は、蓋体５０の長短の各外縁部の両端寄りの２位置から垂下し、それら両端寄りの２位置からそれぞれ中央側にずれた２位置の間の全体から第１外嵌合壁６４が垂下している。また、図１９に示すように、第１及び第２の外嵌合壁６４，６５が形成されている部分には、主体壁５１を段付き状に上方から陥没させると共に下方に膨出させて第１台座部５１Ａが形成されている。第１台座部５１Ａの下面は、次述する下面リブ５０Ｌの下面と面一になっている。そして、第１台座部５１Ａの下面から第１及び第２の外嵌合壁６４，６５が下方に突出している。また、図１６に示すように、第１及び第２の外嵌合壁６４，６５は、第１台座部５１Ａの外縁から垂下したリブ形状をなし、その内側の複数位置からは縦長の突条６４Ｔ，６５Ｔが突出している。
【００３４】
図１４に示すように、蓋体５０の下面には、外縁部全体に下面リブ５０Ｌが形成され、４つのコーナー部には、他の部位より多くの下面リブ５０Ｌが集められている。即ち、蓋体５０の下面には、４つのコーナー部に下面リブ５０Ｌが偏在している。具体的には、下面リブ５０Ｌには、外縁リブ８０、長尺リブ８１、連絡リブ８２、傾斜リブ８３、直交リブ８４が含まれている。
【００３５】
図１５及び図１６に示すように、外縁リブ８０は、蓋体５０の下面のうち第１及び第２の外嵌合壁６４，６５が形成されていない部分の外縁部に沿って形成されている。長尺リブ８１は、外縁リブ８０より内側位置で外縁リブ８０と平行に延びている。長尺リブ８１は、蓋体５０の各短辺には１つ、各長辺には複数（例えば、３つ）設けられ、複数の連絡リブ８２が外縁リブ８０と長尺リブ８１との間及び長尺リブ８１同士の間を連絡している。
【００３６】
傾斜リブ８３は、蓋体５０の長短の各辺に対して４５度傾斜した方向に延びて長短の両辺の長尺リブ８１の間を連絡している。また、傾斜リブ８３は、蓋体５０の各コーナーに複数（例えば、３〜１２個）ずつ等間隔に配置され、それら複数の傾斜リブ８３に対して複数の直交リブ８４が直交している。そして、複数の傾斜リブ８３と直交リブ８４とから、蓋体５０の各コーナー部にコーナー補強部８３Ｈが形成されている。なお、前述した複数の連絡リブ８２の一部は傾斜リブ８３の延長上に延びている。
【００３７】
図１に示すように、蓋体５０のうち第１台座部５１Ａより内側部分には、第２台座部５１Ｂが形成されている。第２台座部５１Ｂは、第１台座部５１Ａと同様に、主体壁５１の一部が上方から陥没しかつ下方に膨出した構造をなし、第１台座部５１Ａと面一の下面を有する。また、第２台座部５１Ｂの平面形状は、第１外嵌合壁６４と平行に延びる長方形をなし、蓋体５０の各短辺側には１つずつ、各長辺側には２つずつ設けられている。そして、図１５及び図１６に示すように、第２台座部５１Ｂの下面から第１内嵌合壁８５（特許請求の範囲の「嵌合壁」に相当する）が垂下されて、第１外嵌合壁６４と対向している。第１内嵌合壁８５には、第１外嵌合壁６４との対向面に縦長の複数の突条８５Ｂが備えられると共に、第１外嵌合壁６４との反対面に補強リブ８５Ａが備えられている。
【００３８】
図１に示すように、蓋体５０のうち各コーナー部の内側部分には、第３台座部５１Ｃが形成されている。第３台座部５１Ｃは、第１及び第２の台座部５１Ａ，５１Ｂと同様に、主体壁５１の一部が上方から陥没いかつ下方に膨出した構造をなし、第１及び第２の台座部５１Ａ，５１Ｂと面一の下面を有する。また、第３台座部５１Ｃの平面形状は、四角形をなしている。そして、図１５及び図１６に示すように、第３台座部５１Ｃの下面からＬ形リブ構造をなした第２内嵌合壁８６（特許請求の範囲の「嵌合壁」に相当する）が垂下されている。また、第２内嵌合壁８６のＬ字の各辺の外面には、縦長の突条８６Ｂが備えられている。
【００３９】
図１に示すように、蓋体５０のうちコンテナ本体１０Ｈの上面と当接する部分より内側部位分には、蓋体５０の長手方向に延びる１対の下方膨出部６０が設けられている。それら１対の下方膨出部６０は、主体壁５１の一部を下方に膨出させた角溝構造をなし、蓋体５０の短手方向の中心線を挟んで対称となる２位置に配置されて、蓋体５０の長手方向の両端寄り２位置間に亘って連続して延びている。また、図１７に示すように、下方膨出部６０の下端部には、平坦かつ水平な下面６０Ａが備えられている。そして、下方膨出部６０の下面６０Ａと、第１及び第２の外嵌合壁６４，６５の下面と、第１及び第２の内嵌合壁８５，８６の下面とが面一に配置されている。さらに、蓋体５０の対向する１対ずつの側壁同士は、上方に向かって互いに離れるように僅かに傾斜している。また、図１に示すように、下方膨出部６０の内部には、長手方向の複数位置に補強リブ６０Ｌが設けられて、下方膨出部６０の幅方向で対向する１対の内側面の間を連絡している。それら補強リブ６０Ｌの上面は、蓋体５０の上面より下方に位置し、それら補強リブ６０Ｌの上面と蓋体５０の上面との間の高低差は、蓋体５０の下面リブ５０Ｌの下面と下方膨出部６０の下面６０Ａとの間の高低差と略同一になっている。
【００４０】
図１に示すように、蓋体５０のうち下方膨出部６０の両端部より蓋体５０の長手方向の中央寄りとなる２位置には、蓋体５０の短手方向の全体に亘って延びる１対のベルト受容溝６１が設けられている。１対のベルト受容溝６１は、主体壁５１の一部を段付き状の僅かに下方に陥没させてなる。そして、図１８に示すように、蓋体５０をコンテナ本体１０Ｈに装着すると、蓋体５０のベルト受容溝６１が、コンテナ本体１０Ｈのベルト受容溝３０Ｂの真上に位置する。
【００４１】
なお、図１に示すように、下方膨出部６０のうちベルト受容溝６１と交差する部分に、前述した複数の補強リブ６０Ｌのうちの１が配置されている。また、図１４に示すように、蓋体５０の下面には、１対のベルト受容溝６１と外縁のリブと囲まれた部分より僅か内側の長方形領域を肉盛りして厚肉補強部６２が形成されている。
【００４２】
本実施形態のコンテナ１０の構成に関する説明は以上である。次に、このコンテナ１０の作用効果について説明する。本実施形態のコンテナ１０は、２つ横並びに配置して一般的な大きさのシートパレットの上に丁度乗せることができる。コンテナ１０が、シートパレット上に載置されると、下面突部３０の下端平面３０Ａ(図１０参照）と第１及び第２の下面外縁突壁３２，３３の下面とがシートパレットに当接する。
【００４３】
シートパレット上でコンテナ１０を複数段に段積する場合には、例えば、最上段以外のコンテナ１０の蓋体５０が外され、蓋体５０内のコンテナ本体１０Ｈの上に別のコンテナ本体１０Ｈが段積される。すると、上段側のコンテナ本体１０Ｈの下面突部３０と第１及び第２の下面外縁突壁３２，３３（図１１参照）とが、下段のコンテナ本体１０Ｈの上面内縁突壁２７（図１２参照）の内側と外側とに嵌合すると共に、上段側のコンテナ本体１０Ｈの第１及び第２の下面外縁突壁３２，３３の下面と段積面３１（図１１参照）とが、下段側のコンテナ本体１０Ｈの上面２４（図１２参照）と上面内縁突壁２７の上面とに当接する。また、第２下面外縁突壁３３は、コーナー突部２９とコーナー寄り突部２８（図１２参照）との間に配置される。
【００４４】
ここで、コンテナ本体１０Ｈ同士を段積みする際に、上段側のコンテナ本体１０Ｈを傾斜姿勢にしてその下端部を下段側のコンテナ本体１０Ｈの上面２４の中間部に載せ、上段側のコンテナ本体１０Ｈの第２下面外縁突壁３３と下面突部３０との間に、下段側のコンテナ本体１０Ｈの上面内縁突壁２７を受容した状態にしてスライドさせれば、上段側のコンテナ本体１０Ｈを、下段側のコンテナ本体１０Ｈに対して段積み可能な位置まで容易に移動することができる。その際、第２下面外縁突壁３３は、コーナー寄り突部２８の傾斜面２８Ｓに摺接して容易にコーナー寄り突部２８を通過する。
【００４５】
最上段のコンテナ１０のコンテナ本体１０Ｈには、図１８に示すように蓋体５０が装着される。すると、図２０に示すように、蓋体５０の第１及び第２の内嵌合壁８５，８６と第１及び第２の外嵌合壁６４，６５（図１５及び図１６参照）とが、コンテナ本体１０Ｈの上面内縁突壁２７の内側と外側とに嵌合すると共に、蓋体５０の第１及び第２の外嵌合壁６４，６５の下面とそれらの内側隣の長尺リブ８１及び連絡リブ８２（図１５及び図１６参照）の下面が、コンテナ本体１０Ｈの上面２４と上面内縁突壁２７の上面とに当接する。また、第２外嵌合壁６５は、コーナー突部２９とコーナー寄り突部２８との間に配置される。また、コンテナ本体１０Ｈ同士の段積と同様に、蓋体５０も傾斜姿勢にしてその下端部をコンテナ本体１０Ｈの上面２４の中間部に載せ、第２外嵌合壁６５と第２内嵌合壁８６との間に、コンテナ本体１０Ｈの上面内縁突壁２７を受容した状態にしてスライドさせて行うことができる。
【００４６】
シートパレット上で段積されて蓋体５０を装着されたコンテナ１０の上に、さらにシートパレットが載置されて、その上にコンテナ１０群が段積されることがある。ここで、本実施形態のコンテナ１０では、シートパレットを載置せずに蓋体５０の上にコンテナ１０を段積すると、上段側のコンテナ１０の下端平面３０Ａと蓋体５０の上端平面５０Ａとが面当接する。よって、シートパレットが蓋体５０とその上方のコンテナ１０との間に挟まれても、従来のように陥没変形しない。これにより、シートパレットへの負荷が抑えられる。
【００４７】
また、蓋体５０のうち上方のコンテナ１０から最も負荷を受ける下面四隅に下面リブ５０Ｌ群が偏在しているので、蓋体５０の上端平面５０Ａの変形が抑えられる。これにより、蓋体５０とコンテナ本体１０Ｈとに挟まれたシートパレットの曲げ変形も抑えられ、シートパレットが蓋体５０上でスライドし易くなり、シートパレット用フォークリフトに引っ張られたときの負荷が抑えられる。
【００４８】
また、図２１に示すように、蓋体５０は、折畳状態のコンテナ本体１０Ｈに装着されることもある。すると、図２２に示すように、蓋体５０の第１及び第２の外嵌合壁６４，６５が、コンテナ本体１０Ｈの第１土手部１４の係止突壁１６の外側に嵌合し、第１及び第２の外嵌合壁６４，６５の下面が第１土手部１４の上面１４Ａ（図８参照）に当接すると共に、係止突壁１６の上面（図８参照）が蓋体５０の長尺リブ８１及び連絡リブ８２に下面に当接する。このとき、蓋体５０の下方膨出部６０の下面６０Ａは、折畳状態のコンテナ本体１０Ｈの第１側壁１１の上面に当接する。これらにより、蓋体５０全体が下方から支持されて変形が抑えられる。
【００４９】
また、図１７に示すように、蓋体５０同士が段積されることもある。この場合、最下部の蓋体５０の第１及び第２の外嵌合壁６４，６５と、第１及び第２の内嵌合壁８５，８６と、下方膨出部６０の各下面が載置面に当接する。また、上下の蓋体５０同士の間では、上段側の蓋体５０の第１及び第２の外嵌合壁６４，６５と、第１及び第２の内嵌合壁８５，８６の各下面とが、下段側の蓋体５０の第１〜第３の台座部５１Ａ〜５１Ｃ（図１４〜図１６参照）の上面に当接すると共に、上段側の蓋体５０における下方膨出部６０の下面６０Ａが、下段側の蓋体５０における下方膨出部６０の補強リブ６０Ｌの上面に当接する。これらにより、全ての蓋体５０全体が下方から支持されて変形が抑えられると共に、蓋体５０同士の横ずれも防がれる。
［他の実施形態］
【００５０】
（１）前記実施形態のコンテナ本体１０Ｈは、折り畳み可能であったが折り畳み不能であってもよい。
【００５１】
（２）前記実施形態では、蓋体５０の上面とその上のコンテナ本体１０Ｈの下面とにおいて、互いに面当接する範囲が面当接しない範囲より広くなっていたが、面当接する範囲の方が面当接しない範囲より狭くてもよいし、それらが同じであってもよい。
【００５２】
（３）前記実施形態の蓋体５０には、コンテナ本体１０Ｈの上部の外側と内側とに嵌合する第１及び第２の外嵌合壁６４，６５と第１及び第２の内嵌合壁８５，８６とが設けられていたが、第１及び第２の外嵌合壁６４，６５又は第１及び第２の内嵌合壁８５，８６の何れか一方のみを設けた構成としてもよい。
【符号の説明】
【００５３】
１０    コンテナ
１０Ｈ    コンテナ本体
１０Ｋ    上面開口
１１    第１側壁
１２    第２側壁
１３    底壁
１４    第１土手部（土手部）
１４Ａ    上面
３０    下面突部
３０Ａ    下端平面
５０    蓋体
５０Ａ    上端平面
５０Ｌ    下面リブ
６０    下方膨出部
６０Ａ    下面
６０Ｌ    補強リブ
６４    第１外嵌合壁（嵌合壁）
６５    第２外嵌合壁（嵌合壁）
８３Ｈ    コーナー補強部
８５    第１内嵌合壁（嵌合壁）
８６    第２内嵌合壁（嵌合壁）
【図１】
2020045157.tif 000003
【図２】
2020045157.tif 000004
【図３】
2020045157.tif 000005
【図４】
2020045157.tif 000006
【図５】
2020045157.tif 000007
【図６】
2020045157.tif 000008
【図７】
2020045157.tif 000009
【図８】
2020045157.tif 000010
【図９】
2020045157.tif 000011
【図１０】
2020045157.tif 000012
【図１１】
2020045157.tif 000013
【図１２】
2020045157.tif 000014
【図１３】
2020045157.tif 000015
【図１４】
2020045157.tif 000016
【図１５】
2020045157.tif 000017
【図１６】
2020045157.tif 000018
【図１７】
2020045157.tif 000019
【図１８】
2020045157.tif 000020
【図１９】
2020045157.tif 000021
【図２０】
2020045157.tif 000022
【図２１】
2020045157.tif 000023
【図２２】
2020045157.tif 000024